(57)【要約】【課題】簡易な構造で、且つ出し入れが容易な収納棚を提供する。【解決手段】収納棚１は、溝部２１を下面２２に有する棚板２０と、仕切部材３０と、を備える。仕切部材３０は、棚板２０に対して脱着可能に取り付けられる棒状の取付部３５と、収納空間を幅方向において仕切る仕切部３１と、を有する。溝部２１は、下面２２に開口した開口部２４よりも前後方向に広がるように形成された引掛部２１Ｂを有し、取付部３５は、仕切部３１から延設されて溝部２１に挿入される挿入部３２と、挿入部３２から延設されて前後方向に延在し、引掛部２１Ｂに掛止される掛止部３３と、掛止部３３から延設されて幅方向に延在する傾倒防止部３４と、を有する。【選択図】図４
2015217197.tif 000002
【特許請求の範囲】
【請求項１】
幅方向に延在する収納空間に収納対象物を収納する収納棚であって、
その長手方向が前記幅方向に沿うように配置されて前記収納空間を画成すると共に、前記幅方向に延在する溝部を下面に有する棚板と、
前記棚板に対して脱着可能に取り付けられる取付部と、前記収納空間を前記幅方向において仕切る仕切部と、を有する仕切部材と、
を備え、
前記溝部は、前記下面に開口した開口部よりも前後方向に広がるように形成された引掛部を有し、
前記取付部は、前記仕切部から延設されて前記溝部に挿入される棒状の挿入部と、前記挿入部から延設されて前記前後方向に延在し、前記引掛部に掛止される掛止部と、前記掛止部から延設されて前記幅方向に延在する傾倒防止部と、を有する、
ことを特徴とする収納棚。
【請求項２】
前記棚板は、互いに平行に延在する前後二列の前記溝部を前記下面に有し、
前記仕切部材は、２つの前記取付部を有し、前後二列の前記溝部を掛け渡すように前記棚板に取り付けられる、
ことを特徴とする請求項１に記載の収納棚。
【請求項３】
前記取付部は、棒状である、
ことを特徴とする請求項１又は２に記載の収納棚。
【発明の詳細な説明】
【技術分野】
【０００１】
本発明は、履物や本等の収納対象物を収納する収納棚に関する。
【背景技術】
【０００２】
従来、履物を整列して収納する収納棚として、例えば特許文献１に記載された収納棚が知られている。特許文献１の収納棚では、棚板が取り付けられた支持枠体を外装ラックに対して回転可能とすることで、支持枠体の前面側と後面側の両面から履物を収納したり取り出したりすることを可能とし、これにより収納許容量の増加を図っている。
【０００３】
また、特許文献２，３には、一対の履物を上下二段に重ねた状態で保持して収納棚に収納するための収納用部材が開示されている。特許文献２，３では、上下に重ねた状態での履物の収納を可能とすることで、収納空間の有効利用を図っている。
【先行技術文献】
【特許文献】
【０００４】
【特許文献１】特開平１０−１４６７７号公報
【特許文献２】特開２００４−１２１６７４号公報
【特許文献３】特開２００４−２４３１３号公報
【発明の概要】
【発明が解決しようとする課題】
【０００５】
しかしながら、上記特許文献１の収納棚は、大掛かりで複雑な回転機構を備えることから、大きなデッドスペースが生じ、且つ製造コストが高い。また、回転操作も煩わしい。
【０００６】
また、上記特許文献２の収納用部材では、履物の出し入れの際に収納用部材自体も毎回出し入れしなければならない。すなわち、履物の収納の際には、収納用部材を収納棚から一旦取り出し、収納用部材を履物に装着して収納しなければならないことから作業が煩わしく、且つ、履物の取出の際には、履物によっては不安定な状態で一対の履物を同時に取り出さなければならないことから使い勝手がよくなかった。また、収納用部材は収納棚とは別の部材であるので、紛失のおそれがあった。さらに、収納用部材を使用しない場合には、当該収納部材をいずれかのスペースに収納しておく必要があることから、邪魔となるおそれがあった。
【０００７】
本発明は、上記事情に鑑みてなされたものであり、簡易な構造で、且つ出し入れが容易な収納棚を提供することを課題とする。
【課題を解決するための手段】
【０００８】
本発明に係る収納棚は、幅方向に延在する収納空間に収納対象物を収納する収納棚であって、その長手方向が幅方向に沿うように配置されて収納空間を画成すると共に、幅方向に延在する溝部を下面に有する棚板と、棚板に対して脱着可能に取り付けられる取付部と、収納空間を幅方向において仕切る仕切部と、を有する仕切部材と、を備え、溝部は、下面に開口した開口部よりも前後方向に広がるように形成された引掛部を有し、取付部は、仕切部から延設されて溝部に挿入される棒状の挿入部と、挿入部から延設されて前後方向に延在し、引掛部に掛止される掛止部と、掛止部から延設されて幅方向に延在する傾倒防止部と、を有する。
【０００９】
この収納棚によれば、棒状の挿入部を有する取付部により棚板に対して脱着可能に取り付けることで、挿入部を簡易な構造としつつ、仕切部材によって収納空間に仕切りを設けることができる。このため、上記特許文献２，３に開示された収納用部材を用いる場合のように出し入れに要する作業が煩わしくなく、出し入れが容易である。また、取り付けられている仕切部材を取り外したり、所望の位置までスライド移動させたりすることで、収納態様を柔軟に変更することができる。また、仕切部に対して幅方向における外力が作用し、仕切部材が幅方向に倒れようとした場合は、傾倒防止部が引掛部の上面又は下面に当接することで仕切部材の倒れを防止することが可能となる。
【００１０】
また、棚板は、互いに平行に延在する前後二列の溝部を下面に有し、仕切部材は、２つの取付部を有し、前後二列の溝部を掛け渡すように棚板に取り付けられることが好ましい。
【００１１】
この収納棚によれば、仕切部材が２つの溝部を掛け渡すように棚板に取り付けられているので、仕切部材に対して外力が作用した場合に仕切部材が意図せずスライド移動したり棚板から脱落したりすることを抑制できる。
【００１２】
また、取付部は、棒状であることが好ましい。
【００１３】
この収納棚によれば、取付部が棒状であることから、取付部を簡易な構造として、取付部の製造容易性及び軽量化を図ることができる。
【発明の効果】
【００１４】
本発明によれば、簡易な構造で、且つ出し入れが容易な収納棚を提供できる。
【図面の簡単な説明】
【００１５】
【図１】第１実施形態に係る収納棚を示す正面図である。
【図２】（ａ）は棚板を下面側から視た斜視図であり、（ｂ）は棚板の断面図である。
【図３】仕切部材を示す斜視図である。
【図４】（ａ）は仕切部材を棚板に取り付ける様子を示す側面図であり、（ｂ）は仕切部材が棚板に取り付けられた状態を示す側面図である。
【図５】図４（ｂ）の要部拡大図である。
【図６】（ａ）は第２実施形態に係る仕切部材を示す斜視図であり、（ｂ）は（ａ）の仕切部材が棚板に取り付けられた状態を示す側面図である。
【図７】第３実施形態に係る棚板及び仕切部材を示す側面図である。
【図８】第４実施形態に係る棚板及び仕切部材を示す側面図である。
【発明を実施するための形態】
【００１６】
（第１実施形態）
以下、本発明に係る好適な実施形態について、図面を参照しつつ詳細に説明する。なお、以下の説明において、同一又は相当要素には同一符号を用い、重複する説明は省略する。また、図１の紙面手前側を前方とし、収納棚１の幅方向を左右方向とし、鉛直方向を上下方向として説明する。
【００１７】
本発明に係る収納棚は、幅方向に延在する収納空間に収納対象物を収納するためのものである。第１実施形態では、一例として、玄関に配置され、収納対象物として履物５０を収納する収納棚１を挙げて説明する。収納棚１は、図１〜図４に示すように、支持枠１０と、棚板２０と、仕切部材３０と、を主な構成として備えている。履物５０は、例えば運動靴、スニーカー、パンプス、革靴等であり、それぞれ一対の組からなる。
【００１８】
図１には、３つの棚板２０（以下、上段の棚板２０を符号２０１、中段の棚板を符号２０２、下段の棚板を符号２０３で参照する）を用いた収納例が示されている。この収納例では、棚板２０１，２０２により画成された上側収納空間５と、棚板２０２，２０３により画成された下側収納空間７と、のそれぞれに履物５０が左右に並べられて収納されている。
【００１９】
上側収納空間５は、複数の仕切部材３０によって左右方向において更に小さな空間に仕切られており、それら各空間には、一対の履物５０が上下二段に重ねられた状態で棚板２０２上に載置されている。一対の履物５０は、特に限定されるものではないが、例えば互いの開口側が向き合うようにして上下二段に重ねられている。このように履物５０を上下二段に重ねて収納した場合、収納空間の有効利用を図ることができるが、上側の履物５０が転落し易い。この点、図１に示す収納例では、転落しようとする上側の履物５０に対して仕切部材３０が当接するように配されていることで、上側の履物５０の転落が防止されている（転び止め）。他方、下側収納空間７には、履物５０が棚板２０３上に載置され、重なり合うことなく左右に並べられている。
【００２０】
このように、図１に示す収納例では、上側収納空間５において、履物５０を上下二段に重ねて効率的に収納することで収納空間の有効利用を図りつつ、上側の履物５０の転落が防止されている。すなわち、近年、靴などを収納する玄関収納において、玄関空間を広く利用するためや、ライフステージの変化に柔軟に対応するために、小さいスペースで収納数を確保することが求められているが、収納棚１によれば、収納空間の有効利用を図り、このような要請に応えることができる。
【００２１】
さらに、図１に示す収納例では、汚れや型崩れ等を防止したい履物５０（一例として、パンプスや革靴）を下側収納空間７に並べて収納し、その他の汚れや型崩れ等に留意する必要がない履物５０（一例として、運動靴やスニーカー）については上側収納空間５に上下二段に重ねて収納することで、履物５０の種類や用途に応じた適切な収納態様が実現されている。なお、棚板２０の数や履物５０の収納態様等は任意であり、収納棚１による収納態様は図１に示す収納例には限られない。
【００２２】
以下、各部の構成を具体的に説明する。支持枠１０は、棚板２０を支持し、収納棚１に作用する荷重を支えるための枠体であり、例えば木質ボード、プラスチック等の合成樹脂により形成されている。支持枠１０は、収納棚１の左右両側に配置され、上下方向に延在する２つの左右枠部１１と、２つの左右枠部１１を上下両側で連結し、左右方向に延在する２つの連結枠部（図示せず）と、を有している。
【００２３】
棚板２０は、収納空間を画成し、履物５０を載置するための部材である。棚板２０は、例えばプラスチック等の合成樹脂を用いた押出成形により形成され、前後に対称な形状に形成されると共に、長手方向（収納棚１の幅方向）に亘って一様な断面形状（図２（ｂ）参照）を呈する板状に形成されている。また、棚板２０には、長手方向において一端から他端まで延在する溝部２１が下面２２に形成されている。この溝部２１は、互いに平行に延在するように、前後二列に形成されている。溝部２１は、図２（ｂ）に示すように、側面視略Ｔ字状の隙間を画成しており、下面２２に開口した開口部２４から上面側に延在する同幅溝部２１Ａと、同幅溝部２１Ａから前後方向に拡幅する引掛部２１Ｂと、を有している。引掛部２１Ｂは、開口部２４よりも前後方向における双方に広がるように形成されている。引掛部２１Ｂの下面２６及び上面２７は、略水平な平面として形成されており、後述するように下面２６に仕切部材３０の掛止部３３が掛止されることで仕切部材３０が棚板２０に取り付けられる。棚板２０は、支持枠１０の左右枠部１１に突設された凸部（いわゆるダボ、図示せず）に溝部２１の端部が係合することで、棚板２０の長手方向が収納棚１の幅方向に沿うように支持枠１０に取り付けられる。
【００２４】
仕切部材３０は、棚板２０により画成された収納空間を左右方向において仕切るための部材（仕切りワイヤー）であり、棚板２０に対して脱着可能に取り付けられる。仕切部材３０は、金属製の棒状部材を曲げ加工することにより形成されている。仕切部材３０の断面形状は、特に限定されるものではなく、例えば、楕円形、円形、方形、六角形とすることができ、その中でも楕円形、円形が好ましく、円形が更に好ましい。仕切部材３０の直径は、１〜８ｍｍ、より好ましくは１．５〜６ｍｍ、更に好ましくは２．５〜５ｍｍとすることができる。なお、仕切部材３０の断面が楕円、方形等の場合は、当該断面の最大幅をこれらの寸法範囲とすることができる。仕切部材３０をなす金属としては、例えば鉄、ステンレス、アルミニウム、亜鉛合金、銅、真鍮等が挙げられる。仕切部材３０は、図３に示すように、略Ｕ字形（略コ字形）の仕切部３１と、仕切部３１から延設された取付部３５と、を有しており、取付部３５で棚板２０に対して脱着可能に取り付けられると共に、仕切部３１で収納空間を左右方向において仕切る。取付部３５は、仕切部３１から延設された挿入部３２と、挿入部３２から延設された掛止部（差込部）３３と、掛止部３３から延設された傾倒防止部（折返部）３４と、を有している。
【００２５】
仕切部３１は、単一の方向に延在するフレーム３１Ａと、フレーム３１Ａの両端からフレーム３１Ａに対して垂直にそれぞれ延設された２本のフレーム３１Ｂと、を有している。挿入部３２は、フレーム３１Ｂの先端から延設されると共にフレーム３１Ｂと同一の方向に延在しており、後述するように仕切部材３０の取付時に溝部２１に挿入される。掛止部３３は、挿入部３２の先端から延設され、外側（フレーム３１Ｂに対するフレーム３１Ａの反対側）に向けてフレーム３１Ａと同一の方向に延在している。掛止部３３のフレーム３１Ａに沿う方向における長さＬ１は、溝部２１の開口部２４の前後方向における長さＬ２よりも小さくされている。これは、仕切部材３０を棚板２０に取り付ける際に、下面２２側から掛止部３３を溝部２１に差し込み可能とするためである。傾倒防止部３４は、掛止部３３の先端から延設され、フレーム３１Ａ及びフレーム３１Ｂ（挿入部３２）の双方と垂直な方向に延在している。
【００２６】
仕切部材３０の棚板２０に対する取付の際には、取付部３５が溝部２１内に挿入され（差し込まれて）、掛止部３３及び傾倒防止部３４が引掛部２１Ｂに挿入される。これにより掛止部３３が引掛部２１Ｂに掛止され、仕切部材３０が棚板２０に対して取り付けられる。より具体的には、図４（ａ）に示すように、２つのフレーム３１Ｂを互いに接近するように前後方向に撓ませた状態で仕切部材３０を溝部２１に近づけ、取付部３５を開口部２４から同幅溝部２１Ａに差し込む。そして、当該差込後に撓み変形から復元させることで、図４（ｂ）及び図５に示すように、２つの掛止部３３及び傾倒防止部３４がそれぞれ引掛部２１Ｂに挿入される。これにより、掛止部３３が引掛部２１Ｂ（下面２６）に掛止され、仕切部材３０は前後二列の溝部２１を掛け渡すように棚板２０に対して取り付けられる。これにより、棚板２０の下方側の収納空間が仕切部３１で仕切られる。仕切部材３０は、棚板２０が支持枠１０に取り付けられている状態であっても、棚板２０に対して取り付けることができる。
【００２７】
本実施形態では、取付状態において掛止部３３の先端が引掛部２１Ｂの左右側面２８に当接するように各部の寸法が設定されており、取付状態においては、２つのフレーム３１Ｂは完全には撓み変形から復帰していない。そして、２つのフレーム３１Ｂの復元力によって掛止部３３の先端で左右側面２８が押圧されている。これにより、仕切部材３０は、所定の大きさよりも小さい外力が作用した場合であってもスライド移動することがないように、棚板２０に対して取り付けられている。
【００２８】
取付状態においては、幅方向（溝部２１の延在方向）に延在する傾倒防止部３４によって仕切部材３０の左右方向への倒れ（傾倒）が防止される。すなわち、仕切部３１に対して左右方向における外力が作用して仕切部材３０が倒れようとした際、傾倒防止部３４が引掛部２１Ｂの上面２７又は下面２６に当接することで、仕切部材３０の倒れが防止される。より具体的には、傾倒防止部３４が突出している側から仕切部３１に対して外力が作用した場合には、傾倒防止部３４は回動して下面２６に当接する。傾倒防止部３４が突出している側とは反対側から仕切部３１に対して外力が作用した場合には、傾倒防止部３４は回動して上面２７に当接する。このため、第１実施形態に係る収納棚１では、上述したように転落しようとする上側の履物５０が仕切部材３０に当接した場合であっても、仕切部材３０が倒れにくい。
【００２９】
ここで、引掛部２１Ｂの上下方向における長さＬ３（上面２７と下面２６との間の距離）、傾倒防止部３４の長さＬ４、及び傾倒防止部３４の直径Ｄは、掛止部３３及び傾倒防止部３４を引掛部２１Ｂに差し込み可能としつつ、傾倒防止部３４による倒れ防止が可能となる長さとされている。例えば、傾倒防止部３４が差し込まれた際に、長さＬ３は、直径Ｄより０．２〜０．５ｍｍ程度大きくなるように設定することができる。長さＬ４は、仕切部材３０の傾斜（傾倒）防止の観点から、２０〜１００ｍｍとすることができる。この場合、長さＬ４が長いほど仕切部材３０の傾斜（傾倒）が少なくなるため好ましいが、取り扱い易さ又は経済性の観点から、長さＬ４は、３０〜６０ｍｍがより好ましい。
【００３０】
また、仕切部材３０は、上述したように、溝部２１が左右方向に亘って一様な形状を有しているので、棚板２０に対して取り付けられた状態のままで左右方向にスライド移動できる。このため、仕切部材３０の取付位置を左右に適宜動かすことで、仕切部材３０により画成される収納空間の大きさを容易に変更することができる。このスライド移動の際には、２つのフレーム３１Ｂを互いに接近するように前後方向に僅かに撓ませることで、掛止部３３の先端による引掛部２１Ｂの左右側面２８の押圧を解除でき、スムーズにスライドさせることができる。
【００３１】
また、上記取付とは逆に、２つのフレーム３１Ｂを互いに接近するように前後方向に撓ませた状態で仕切部材３０を溝部２１から抜き出すことにより、仕切部材３０を棚板２０から容易に取り外すことができる。仕切部材３０は、棚板２０が支持枠１０に対して取り付けられている状態であっても棚板２０から取り外すことができる。
【００３２】
以下、第１実施形態に係る収納棚１の作用及び効果について説明する。収納棚１では、複数の仕切部材３０を棚板２０に対して適宜取り付けることで、図１に示す収納例のように、上下二段に重ねた収納態様や左右に並べる収納態様など、履物５０の種類や用途に応じた適切な収納態様を実現することが可能となる。また、取り付けられている仕切部材３０を取り外したり、所望の位置までスライド移動させたりすることで、収納態様を柔軟に変更することができる。なお、溝部２１は、本来的には支持枠１０との係合のために棚板２０に形成されているものであり、収納棚１では、当該溝部２１を利用して仕切部材３０を棚板２０に対し取り付けることで要素の共通化が図られている。
【００３３】
また、収納棚１によれば、棒状の挿入部を有する取付部３５により棚板２０に対して脱着可能に取り付けることで、挿入部３２を簡易な構造としつつ、仕切部材３０によって収納空間に仕切りを設けることができる。このため、上述した特許文献２，３に開示された収納用部材を用いる場合のように出し入れに要する作業が煩わしくなく、出し入れが容易である。また、収納棚１によれば、仕切部３１に対して幅方向における外力が作用し、仕切部材３０が幅方向に倒れようとした場合は、傾倒防止部３４が引掛部２１Ｂの上面２７又は下面２６に当接することで仕切部材３０の倒れを防止することが可能となる。
【００３４】
また、取付部３５全体が棒状であることから、取付部３５を簡易な構造として、取付部３５の製造容易性及び軽量化を図ることができる。また、仕切部材をスライド移動させる際にもスライドさせやすい。
【００３５】
また、この収納棚１は、一対の履物５０を上下二段に重ねた状態で棚板２０に載置して収納する際に好適に用いることができる。すなわち、この収納棚１によれば、上述したように、仕切部材３０に隣接するように上下二段に重ねて収納された一対の履物５０のうちの上側の履物５０が転落しようとして仕切部３１に当接し、仕切部材３０が左右方向に倒れようとした場合、傾倒防止部３４が引掛部２１Ｂの上面２７又は下面２６に当接することで仕切部材３０の倒れが防止される。したがって、収納棚１によれば、簡易な構造で収納効率の向上を図ることができる。
【００３６】
また、収納棚１によれば、仕切部材３０が２つの溝部２１を掛け渡すように棚板２０に取り付けられているので、仕切部材３０に対して外力が作用した場合に仕切部材３０が意図せずスライド移動したり棚板２０から脱落したりすることを抑制できる。
【００３７】
また、収納棚１によれば、金属製の棒状部材を曲げ加工することで仕切部材３０を製造できるので、加工が容易で製造コストが低い。また、仕切部材３０が金属製であるので、木製の場合と比較して繰り返し負荷が掛かっても破断しにくい。特に、挿入部３２と掛止部３３との接続箇所は負荷が繰り返し作用するために破断しやすいが、収納棚１では双方の部材が金属製の棒状部材として一体に形成されているので、当該箇所が破断しにくい。また、合成樹脂を用いた押出成形により棚板２０を製造できるので、加工が容易で製造コストが低い。また、棚板２０が合成樹脂製であり、仕切部材３０が金属製であるので、例えば少なくとも一方が木製である場合と比較してスムーズにスライド移動できる。なお、棚板２０において仕切部材３０を掛止するための溝部２１が下面２２側に形成されているのは、溝部２１に泥やゴミ等が堆積することを防止するためである。
【００３８】
（第２実施形態）
次に、第２実施形態について説明する。第２実施形態は、基本的に上記第１実施形態と同様であり、仕切部材３０の形状が相違する。このため、以下の説明では、上記第１実施形態と相違する事項のみを説明し、同一の部材については同一の符号を付して説明を省略する。
【００３９】
図６（ａ）は第２実施形態に係る仕切部材を示す斜視図であり、図６（ｂ）は図６（ａ）の仕切部材が棚板に取り付けられた状態を示す側面図である。第２実施形態に係る仕切部材３０Ｂは、前後二列に形成された溝部２１の双方に取り付け可能であり、少なくとも一方に取り付けられる。
【００４０】
仕切部材３０Ｂは、図６（ａ）に示すように、直線状の仕切部３７と、仕切部３７から延設された取付部４１と、を有し、側面視略Ｔ字状に形成されている。取付部４１は、挿入部３８と、掛止部３９と、傾倒防止部４０と、を有している。挿入部３８は、仕切部３７の先端から延設されると共に仕切部３７と同一の方向に延在している。掛止部３９は、挿入部３８と垂直な方向に延在しており、その中間部で挿入部３８の先端に接続されている。傾倒防止部４０は、掛止部３３の両端から延設されて仕切部３７及び掛止部３９の双方と垂直な方向に延在している。
【００４１】
第２実施形態では、掛止部３９の長さＬ５は、溝部２１の開口部２４の前後方向における長さＬ２よりも大きくされている。このため、仕切部材３０Ｂを棚板２０に取り付ける際には、一旦棚板２０を支持枠１０から取り外し、棚板２０の左右側方から仕切部材３０Ｂを近づけて取付部４１を溝部２１に挿入する。
【００４２】
この点以外については、第２実施形態の仕切部材３０Ｂは、上記第１実施形態と同様の機能を奏する。すなわち、仕切部材３０Ｂは、取付部４１が溝部２１内に差し込まれて掛止部３９が引掛部２１Ｂに掛止されることで棚板２０に取り付け可能であると共に、取付状態において、転落しようとする上側の履物５０が仕切部３７に当接し、仕切部材３０Ｂが左右に倒れようとした場合、傾倒防止部４０が引掛部２１Ｂの上面２７又は下面２６に当接することで仕切部材３０Ｂの倒れを防止可能である。第２実施形態の仕切部材３０Ｂによれば、構造を更に簡易化することができる。なお、第２実施形態のように１つの溝部２１に取り付け可能な構造の仕切部材を用いる場合、棚板２０は一列の溝部２１のみを有するものであっても構わない。
【００４３】
（第３実施形態）
次に、第３実施形態について説明する。第３実施形態は、基本的に上記第１実施形態と同様であり、棚板２０の材質及び形状が相違する。このため、以下の説明では、上記第１実施形態と相違する事項のみを説明し、同一の部材については同一の符号を付して説明を省略する。
【００４４】
図７は、第３実施形態に係る棚板及び仕切部材を示す側面図である。第３実施形態に係る棚板２０Ｂでは、本体部５１が木製である。
【００４５】
棚板２０Ｂは、木製の本体部５１と、本体部５１の下面５２側に埋め込まれた金属製のレール部５３と、を有している。本体部５１は、上記第１実施形態の棚板２０と同様に、長手方向に亘って一様な断面形状を呈する板状に形成されている。レール部５３には、本体部５１の長手方向における一端から他端まで延在する溝部５５が形成されている。溝部５５は、図７に示すように、側面視略逆Ｌ字状の隙間を画成しており、下面５２に開口した開口部５４から上面側に延在する同幅溝部５５Ａと、同幅溝部５５Ａから前後方向に拡幅する引掛部５５Ｂと、を有している。引掛部５５Ｂは、開口部５４よりも前後方向における外側に広がるように形成されている。つまり、引掛部５５Ｂは、第３実施形態では開口部５４に対して前後方向における片側のみに広がるように形成されている。ただし、第３実施形態においても、引掛部５５Ｂの下面５６に掛止部３３が掛止されることで仕切部材３０が棚板２０Ｂに取り付けられる点は同一であり、第３実施形態の仕切部材３０Ｂは、上記第１実施形態と同様の機能を奏する。
【００４６】
（第４実施形態）
次に、第４実施形態について説明する。第４実施形態は、基本的に上記第１実施形態又は第２実施形態と同様であり、仕切部材３０の形状が相違する。このため、以下の説明では、上記第１実施形態又は第２実施形態と相違する事項のみを説明し、同一の部材については同一の符号を付して説明を省略する。
【００４７】
図８は、第４実施形態に係る棚板及び仕切部材を示す側面図である。第４実施形態に係る仕切部材３０Ｃは、前後二列に形成された溝部２１のうちのいずれか一方に掛止される。
【００４８】
仕切部材３０Ｃは、図８に示すように、仕切部４２と、仕切部４２から延設された取付部４１と、を有している。取付部４１は、第２実施形態と同様に、挿入部３８と、掛止部３９と、傾倒防止部４０と、を有している。仕切部４２は、図８に示す仕切部材３０Ｃの取付状態において、掛止部３９から棚板２０の前側又は後側を通って上面側に延出するように屈曲して延びるフレーム４２Ａと、フレーム４２Ａの先端から棚板２０の前後方向に沿って延びるフレーム４２Ｂと、を有している。
【００４９】
第４実施形態の仕切部材３０Ｃは、上述した他の実施形態とは異なり、取付状態において仕切部４２が棚板２０の上面側に延在し、上面側にて収納空間を仕切る。ただし、この点以外については、第４実施形態の仕切部材３０Ｃは、上記第１実施形態及び第２実施形態と同様の機能を奏する。すなわち、仕切部材３０Ｃは、取付部４１が溝部２１内に差し込まれて掛止部３９が引掛部２１Ｂに掛止されることで棚板２０に取り付け可能であると共に、取付状態において、転落しようとする上側の履物５０が仕切部４２に当接し、仕切部材３０Ｃが左右に倒れようとした場合、傾倒防止部４０が引掛部２１Ｂの上面２７又は下面２６に当接することで仕切部材３０Ｃの倒れを防止可能である。
【００５０】
以上、本発明の好適な実施形態について説明したが、本発明は、上記実施形態に限られるものではなく、各請求項に記載した要旨を変更しない範囲で変形し、又は他のものに適用してもよい。
【００５１】
例えば、上記実施形態では、取付部全体が棒状であるものとして説明したが、少なくとも挿入部が棒状であればよく、掛止部及び傾倒防止部の形状は特に限定されるものではない。例えば、掛止部及び傾倒防止部の一部又は全部を板状（例えば、矩形平板状）にしてもよく、掛止部及び傾倒防止部の一部又は全部を一体化してもよく、掛止部及び傾倒防止部の一部又は全部を板状（例えば、矩形平板状）にして一体化してもよい。
【００５２】
また、収納対象物が履物５０である例を挙げて説明したが、本発明は他の収納対象物にも適用可能である。一例として、本発明の収納棚を本棚へ適用し、収納対象物を本とする例が挙げられる。従来の本棚には、仕切板や側板といった部材が一般的に設けられているが、これらは移動ができず、収納する本の数に合わせて収納空間の大きさを調整することができない。これに対し、本発明の収納棚１によれば、仕切部材３０を本の倒れ止めとして用いると共に、仕切部材３０をスライド移動することで収納空間の大きさを容易に変更することができる。
【００５３】
また、本発明に係る仕切部材３０は、ワイヤー（棒状部材）で構成されていることから、ハンギング用収納具としても利用することができる。例えば、傘や折り畳み傘、靴べらなどの玄関用品や、ネクタイやスカーフベルトなどの衣類を掛ける（ハンギングする）ための部材（ハンガー）として仕切部材３０を利用することができる。この際、仕切部材３０をスライド移動させたり取付数を増減したりすることで、好適な位置や数で用いることができる。また、この場合、玄関用品や衣類をハンギングし易い様に、仕切部材３０に引掛部を設けることが好ましい。
【００５４】
また、上記実施形態では、仕切部材３０全体が棒状部材により形成されている構成を説明したが、取付部３５が棒状であればよく、他の部分は必ずしも棒状である必要はない。例えば、第１実施形態において、仕切部３１が、２本のフレーム３１Ｂに亘るように設けられた面状部を有する構成としてもよい。この構成の方が、転落しようとする上側の履物５０が仕切部３１に当接し易い点で好ましい。また、傾倒防止部３４が面状に形成された構成としてもよい。この構成の方が、仕切部材３０の左右方向への倒れを更に効果的に防止できる点で好ましい。
【００５５】
また、上記実施形態では、仕切部材３０の取付状態において、２つのフレーム３１Ｂの復元力によって掛止部３３の先端で引掛部２１Ｂの左右側面２８が押圧されている構成を説明したが、２つのフレーム３１Ｂの復元力によって挿入部３２で開口部２４の内面（開口縁）が押圧される構成としてもよい。また、取付状態において掛止部３３の先端が引掛部２１Ｂの左右側面２８に当接しない構成としてもよい。すなわち、取付状態において２つのフレーム３１Ｂが完全に撓み変形から復帰している構成としてもよい。
【００５６】
また、上記第１実施形態では、掛止部３３が外側に曲げられ、引掛部２１Ｂの前後方向における外側に延びる隙間に掛止される構成を説明したが、掛止部３３が内側に曲げられ、引掛部２１Ｂの前後方向における内側に延びる隙間に掛止される構成としてもよい。
【００５７】
また、第３実施形態として、棚板２０Ｂを木製とし、側面視略逆Ｌ字状の隙間を画成した構成を説明したが、第１実施形態についても、棚板２０の溝部２１に側面視略Ｌ字状の隙間を画成する構成としてもよい。ただし、掛止部３３を曲げる方向と引掛部２１Ｂが広がる方向とを対応させる必要がある。
【００５８】
なお、収納棚１を構成する各部材の材料は特に限定されず、金属製、樹脂製、又は木製等のいずれであってもよい。
【符号の説明】
【００５９】
１…収納棚、５…上側収納空間、７…下側収納空間、１０…支持枠、２０，２０Ｂ，２０１，２０２，２０３…棚板、２１，５５…溝部、２１Ａ，５５Ａ…同幅溝部、２１Ｂ，５５Ｂ…引掛部、２２，５２…下面、２４，５４…開口部、３０，３０Ｂ，３０Ｃ…仕切部材、３１，３７，４２…仕切部、３２，３８…挿入部、３３，３９…掛止部、３４，４０…傾倒防止部、３５，４１…取付部、５０…履物（収納対象物）、５１…本体部、５３…レール部。
【図１】
2015217197.tif 000003
【図２】
2015217197.tif 000004
【図３】
2015217197.tif 000005
【図４】
2015217197.tif 000006
【図５】
2015217197.tif 000007
【図６】
2015217197.tif 000008
【図７】
2015217197.tif 000009
【図８】
2015217197.tif 000010